(57)【要約】      （修正有）【課題】異種電池を選択的に使用可能な電子機器を提供する。【解決手段】単３形電池２本と互換形状を有するＣＲ−Ｖ３複数個と、単３形電池複数本とを選択的に収納可能な電池室と；電池室に単３形電池４本を所定の正しい向きで収納したときに単３形電池４本を直列接続する第１〜第５接点と；第３接点は、電池室に２つのＣＲ−Ｖ３を収納したとき一方のＣＲ−Ｖ３のマイナス端子と他方のＣＲ−Ｖ３のプラス端子にそれぞれ導通し、第１接点と第５接点は一方のＣＲ−Ｖ３のプラス端子と他方のＣＲ−Ｖ３のマイナス端子に導通すること；上記電池室にＣＲ−Ｖ３を収納したときにのみオンになる、２つの検出スイッチと；各接点間の電圧を検出可能な電圧検出手段と；２つの検出スイッチが共にオンであり、且つ各接点間の電圧が所定の範囲にあるとき電池室内に収納された電池を電源として使用可能な状態にする制御手段と；を有する電子機器。【選択図】図１
2004288626.tif 000002
【特許請求の範囲】
【請求項１】
プラス端子とマイナス端子をそれぞれ一端と他端に有する同種の円筒状電池２本と互換形状を有し且つプラス端子とマイナス端子を一端にのみ有する電池パック複数個と、上記円筒電池複数本とを選択的に収納可能な電池室と；
上記電池室に上記円筒状電池４本を所定の正しい向きで収納したときに該円筒状電池４本を直列接続する、該電池室の電池長手方向の両端部に交互に配置した第１乃至第５接点と；
上記第１乃至第５接点のうち第３接点は、電池室に２つの電池パックを収納したとき一方の電池パックのマイナス端子と他方の電池パックのプラス端子にそれぞれ導通し、第１接点と第５接点は上記一方の電池パックのプラス端子と上記他方の電池パックのマイナス端子に導通すること；
上記電池室に上記電池パックを収納したときにのみオンになる、各電池パックに対応させて設けた２つの検出スイッチと；
上記第１接点と上記第２接点の間の第１の電圧、上記第２接点と上記第３接点の間の第２の電圧、上記第３接点と上記第４接点の間の第３の電圧、上記第４接点と上記第５接点の間の第４の電圧、上記第１接点と上記第３接点の間の第５の電圧、及び上記第３接点と上記第５接点の間の第６の電圧の各電圧を検出可能な電圧検出手段と；
上記２つの検出スイッチが共にオンであり且つ上記電圧検出手段により上記第５の電圧及び上記第６の電圧が略同一と検出された場合、及び上記２つの検出スイッチが共にオフであり且つ上記電圧検出手段により上記第１の電圧乃至上記第４の電圧の各々が０Ｖを超えなお且つ上記第１の電圧乃至上記第４の電圧の各電圧が略同一と検出された場合のいずれかの場合に、上記電池室内に収納された電池を電源として使用可能な状態にする制御手段と；
を有することを特徴とする、異種電池を選択的に使用可能な電子機器。
【請求項２】
請求項１記載の電子機器において、上記２つの場合のいずれでも無い場合には、制御手段は、電池室内に収納された電池とは別に設けられたバックアップ電池を電源として、電池室に適切な電池が収納されていない旨を電子機器に設けられた警告手段を介して警告すると共に電池室内に収納された電池を電源として使用不能な状態にする、異種電池を選択的に使用可能な電子機器。
【請求項３】
請求項２記載の電子機器において、警告手段は電子機器に設けられた表示手段であり、制御手段は、上記２つの場合のいずれでも無い場合には、電池室に適切な電池が収納されていない旨を上記表示手段に表示させる、異種電池を選択的に使用可能な電子機器。
【請求項４】
請求項１乃至３記載の電子機器において、上記円筒状電池は単３形電池であり、上記電池パックはＣＲ−Ｖ３である、異種電池を選択的に使用可能な電子機器。
【請求項５】
請求項４記載の電子機器において、２つの検出スイッチは各々、電池室内に突出するスイッチ片を有しており、対応するＣＲ−Ｖ３が電池室に収納されたときにのみこのスイッチ片が該ＣＲ−Ｖ３の側面に押されてオンになる、異種電池を選択的に使用可能な電子機器。
【請求項６】
請求項１乃至５記載の電子機器において、電子機器はカメラである、異種電池を選択的に使用可能な電子機器。
【請求項７】
同種の円筒状電池２本と互換形状を有する電池パック複数個と、上記円筒電池複数本とを選択的に収納可能な電池室と；
この電池室内に収納される電池が上記電池パックおよび上記円筒状電池のいずれであるかを識別する検出手段と；
を有することを特徴とする、異種電池を選択的に使用可能な電子機器。
【請求項８】
請求項７記載の電子機器において、上記円筒状電池は単３形電池であり、上記電池パックはＣＲ−Ｖ３である、異種電池を選択的に使用可能な電子機器。
【請求項９】
同種の円筒状電池２本と互換形状を有する電池パック複数個と、上記円筒電池複数本とを選択的に収納可能な電池室と；
この電池室内に収納された電池の電圧を個別に検出可能な電圧検出手段と；
この電圧検出手段により各電池の電圧が互いに略同一でないと検出された場合、上記電池室内に収納された電池は異種電池であると判断する判断手段と；
を有することを特徴とする、異種電池を選択的に使用可能な電子機器。
【請求項１０】
請求項９記載の電子機器において、判断手段が電池室内に収納された電池は異種電池であると判断した場合、電池室内に収納された電池を電源として使用不能な状態にする、異種電池を選択的に使用可能な電子機器。
【請求項１１】
請求項９または１０記載の電子機器において、上記円筒状電池は単３形電池であり、上記電池パックはＣＲ−Ｖ３である、異種電池を選択的に使用可能な電子機器。
【発明の詳細な説明】
【技術分野】
【０００１】
本発明は、異種電池を選択的に使用可能な互換設計がなされた電子機器に関する。
【背景技術】
【０００２】
近年、単３形電池（一次電池または二次電池）２本との互換設計が可能な二酸化マンガンリチウム一次電池ＣＲ−Ｖ３が商品化され、このＣＲ−Ｖ３を使用可能なカメラが開発されている。リチウム一次電池は重量エネルギ密度及び体積エネルギ密度が高く、消費電力の高いデジタルカメラ等に最適である。図１１及び図１２はＣＲ−Ｖ３の外観を示している。
【０００３】
単３形電池２本を収納可能な収納空間にＣＲ−Ｖ３が一個収納されるため、４本以上の偶数本の単３形電池を用いるカメラでは、単３形電池とＣＲ−Ｖ３が混在使用される虞れがある。即ち、単３形電池を４本用いるカメラでは、単３形電池２本とＣＲ−Ｖ３一個が混在使用される虞れがある。さらには、単３形一次電池と単３形二次電池が混在使用される虞れもある。
【０００４】
このため、４本以上の偶数本の単３形電池を用いるカメラでは、単３形一次電池とＣＲ−Ｖ３が混在使用された場合や、単３形一次電池と単３形二次電池が混在使用された場合には、電圧差によって単３形一次電池が一次電池であるにも拘わらず過って充電される可能性がある。もし充電されれば液漏れ、発熱、破損、破裂等の虞れがあり危険である。たとえ取扱説明書で注意を喚起しても、故意による使用を防止することはできない。
【発明の開示】
【発明が解決しようとする課題】
【０００５】
本発明は、以上のような従来の問題点に鑑みて成されたものであり、同種の円筒状電池２本と互換形状を有する電池パック複数個と、上記円筒電池複数本とを選択的に収納可能な電池室を備えたカメラ等の電子機器において、異種電池の混在使用を防止することができる電子機器を提供することを目的とする。
【課題を解決するための手段】
【０００６】
本発明の異種電池を選択的に使用可能な電子機器は、プラス端子とマイナス端子をそれぞれ一端と他端に有する同種の円筒状電池２本と互換形状を有し且つプラス端子とマイナス端子を一端にのみ有する電池パック複数個と、上記円筒電池複数本とを選択的に収納可能な電池室と；上記電池室に上記円筒状電池４本を所定の正しい向きで収納したときに該円筒状電池４本を直列接続する、該電池室の電池長手方向の両端部に交互に配置した第１乃至第５接点と；上記第１乃至第５接点のうち第３接点は、電池室に２つの電池パックを収納したとき一方の電池パックのマイナス端子と他方の電池パックのプラス端子にそれぞれ導通し、第１接点と第５接点は上記一方の電池パックのプラス端子と上記他方の電池パックのマイナス端子に導通すること；上記電池室に上記電池パックを収納したときにのみオンになる、各電池パックに対応させて設けた２つの検出スイッチと；上記第１接点と上記第２接点の間の第１の電圧、上記第２接点と上記第３接点の間の第２の電圧、上記第３接点と上記第４接点の間の第３の電圧、上記第４接点と上記第５接点の間の第４の電圧、上記第１接点と上記第３接点の間の第５の電圧、及び上記第３接点と上記第５接点の間の第６の電圧の各電圧を検出可能な電圧検出手段と；上記２つの検出スイッチが共にオンであり且つ上記電圧検出手段により上記第５の電圧及び上記第６の電圧が略同一と検出された場合、及び上記２つの検出スイッチが共にオフであり且つ上記電圧検出手段により上記第１の電圧乃至上記第４の電圧の各々が０Ｖを超えなお且つ上記第１の電圧乃至上記第４の電圧の各電圧が略同一と検出された場合のいずれかの場合に、上記電池室内に収納された電池を電源として使用可能な状態にする制御手段と；を有することを特徴としている。
【０００７】
上記２つの場合のいずれでも無い場合には、制御手段は、電池室内に収納された電池とは別に設けられたバックアップ電池を電源として、電池室に適切な電池が収納されていない旨を電子機器に設けられた警告手段を介して警告すると共に電池室内に収納された電池を電源として使用不能な状態にすることが好ましい。
【０００８】
また本発明の異種電池を選択的に使用可能な電子機器は、同種の円筒状電池２本と互換形状を有する電池パック複数個と、上記円筒電池複数本とを選択的に収納可能な電池室と；この電池室内に収納される電池が上記電池パックおよび上記円筒状電池のいずれであるかを識別する検出手段と；を有することを特徴としている。
【０００９】
また本発明の異種電池を選択的に使用可能な電子機器は、同種の円筒状電池２本と互換形状を有する電池パック複数個と、上記円筒電池複数本とを選択的に収納可能な電池室と；この電池室内に収納された電池の電圧を個別に検出可能な電圧検出手段と；この電圧検出手段により各電池の電圧が互いに略同一でないと検出された場合、上記電池室内に収納された電池は異種電池であると判断する判断手段と；を有することを特徴としている。
【発明の効果】
【００１０】
以上のように、本発明によれば、同種の円筒状電池２本と互換形状を有する電池パック複数個と、上記円筒電池複数本とを選択的に収納可能な電池室を備えたカメラ等の電子機器において、異種電池の混在使用を防止することができる。
【発明を実施するための最良の形態】
【００１１】
図２は本発明を適用したカメラボディの実施形態を示しており、図９はこのカメラボディの主要構成要素を示している。カメラボディ１０は、一眼レフタイプのＡＦデジタルカメラのカメラボディであり、その前面には、交換レンズ（図示せず）を装着するためのマウント１１が設けられており、マウント１１近傍には交換レンズを着脱する際に操作されるレンズ着脱ボタン１２が設けられている。
【００１２】
カメラボディ１０を正面から視て左側にはグリップ部１３が形成されており、グリップ部１３上面前部にはレリーズ釦（図示せず）が設けられている。またカメラボディ１０下面中央には三脚用ネジ穴１４が設けられており、グリップ部１３底部には電池室ＢＣを開閉する電池蓋１５が設けられている。
【００１３】
図１、図３、図４及び図５は、カメラボディ１０のグリップ部１３内に固設された電池ケース２０、及びこの電池ケース２０内に形成された電池室ＢＣを開閉する電池蓋１５を示している。電池ケース２０は、下端が開放され且つ上端が閉口された筒状部材であり、その内部に形成された電池室ＢＣ内に単３形電池（図中では記号「ＡＡ」と記す）４本またはＣＲ−Ｖ３二個を収納できるように構成されている。電池室ＢＣの略上半分の空間は、上下方向に延びる隔壁２０ａ（図１、図６乃至図８参照）によって第１室２１と第２室２２に仕切られており、これら各室に単３形電池を２本またはＣＲ−Ｖ３を一個を挿入できるように構成されている。
【００１４】
図６、図１１及び図１２に示すように、ＣＲ−Ｖ３は、単３形電池２本と互換形状を有する電池パックであり、一方の側面には、該側面中央やや下寄りから電池パック下端に延びる平坦部１０１と、この平坦部１０１の上端から電池パック上端に延びる溝部１０２が形成されている。ＣＲ−Ｖ３を第１室２１及び第２室２２の各室に挿入するときは、ＣＲ−Ｖ３のプラス端子とマイナス端子が設けられている側の端部（図１１及び図１２での上側端部）から挿入する。このとき、ＣＲ−Ｖ３の平坦部１０１と溝部１０２が形成されている側の側面が隔壁２０ａに対向する向きで挿入する。図６及び図７に示すように、隔壁２０ａの中央部はＣＲ−Ｖ３の溝部１０２の形状に対応させてカメラボディ１０の前後方向（図６及び図７での上下方向）に膨らんでおり、この隔壁２０ａの形状によりＣＲ−Ｖ３が前後逆に電池室ＢＣ内に挿入されるのが防止され、さらにＣＲ−Ｖ３が上下逆に電池室ＢＣ内に挿入されるのが防止される。即ち、図６乃至図８から分るように、隔壁２０ａにより仕切られた第１室２１及び第２室２２は各々、ＣＲ−Ｖ３の略上半分（図１１及び図１２での略上半分）の形状に相当する形状に構成されている。
【００１５】
電池ケース２０の下端には、係合爪嵌入部２０ｂ、２０ｃが形成されている。これら係合爪嵌入部２０ｂ、２０ｃには、電池蓋１５の閉状態において該電池蓋１５の内側に形成された係合爪１５ｂ、１５ｃがそれぞれ嵌入する。
【００１６】
電池蓋１５は、その後端部がカメラボディ１０の底板１６に対して回動自在に支持されている。より詳細には、電池蓋１５の後端部左右に突設された一対の軸ピン１５ａが、カメラボディ１０の底板１６上面（内側面）に形成された左右一対の軸支持部（図示せず）に回動自在に支持されている。また、この底板１６に形成された一対の軸支持部は、一対の軸ピン１５ａがカメラボディ１０の前後方向に所定量移動可能なように構成されている。
【００１７】
電池蓋１５の係合爪１５ｂ、１５ｃが係合爪嵌入部２０ｂ、２０ｃにそれぞれ嵌入する電池蓋１５の閉状態において電池蓋１５をカメラボディ１０に対して前方へ若干量スライドさせると、係合爪１５ｂ、１５ｃがそれぞれ係合爪嵌入部２０ｂ、２０ｃから外れ、これによって電池蓋１５が開放される。電池蓋１５を閉じるには、逆の要領で係合爪１５ｂ、１５ｃを係合爪嵌入部２０ｂ、２０ｃにそれぞれ嵌入させればよい。
【００１８】
電池ケース２０の上壁２３と電池蓋１５の内面には、電池室ＢＣ内に正しく挿入した４本の単３型電池を直列に接続する第１接点２４（上壁側）、第２接点２８（蓋側）、第３接点２５、２６（上壁側）、第４接点２９（蓋側）及び第５接点２７（上壁側）が交互に固定されている。図１３及び図１４は、電池室ＢＣの電池長手方向の両端部に交互に配置した第１乃至第５接点の配置を示す模式図である。上壁２３側にある第１接点２４と第５接点２７は常に電圧取出端子である。第１接点２４と第３接点２５は電池室ＢＣ内の第１室２１の上端に配設され、第３接点２６と第５接点２７は電池室ＢＣ内の第２室２２の上端に配設されている。第１接点２４と第３接点２５は、第１室２１に挿入される電池（単３形電池またはＣＲ−Ｖ３）のプラス端子とマイナス端子にそれぞれ当接されるべきものであり、第３接点２６と第５接点２７は、第２室２２に挿入される電池（単３形電池またはＣＲ−Ｖ３）のプラス端子とマイナス端子にそれぞれ当接されるべきものである。第３接点２５と第３接点２６は導線Ｗ（図４参照）を介して導通している。
【００１９】
一方、電池蓋１５側の第２接点２８は、第１接点２４と対向する第２-１接点部２８ａと、第３接点２５と対向する第２-２接点部２８ｂとを有している。同様に、第４接点２９は、第３接点２６と対向する第４-１接点部２９ａと、第５接点２７と対向する第４-２接点部２９ｂとを有している。
【００２０】
第２接点２８の第２-１接点部２８ａは単３形電池のマイナス端子に当接されるべきものであり、第２-２接点部２８ｂは単３形電池のプラス端子に当接されるべきものである。同様に、第４接点２９の第４-１接点部２９ａは単３形電池のマイナス端子に当接されるべきものであり、第４-２接点部２９ｂは単３形電池のプラス端子に当接されるべきものである。
【００２１】
また第２-２接点部２８ｂには、単３形電池のプラス端子に弾接する瞬断防止バネ２８ｃが設けられており、同様に、第４接点２９の第２-２接点部２９ｂには単３形電池のプラス端子に弾接する瞬断防止バネ２９ｃが設けられている。
【００２２】
さらに電池蓋１５の内面には、第１接点部２８ｂ及び第１接点部２９ｂの各両脇に、単３形電池逆接防止凸部１５ｄが突設されている。
【００２３】
電池室ＢＣにＣＲ−Ｖ３が二個収納されるときは、ＣＲ−Ｖ３の下端にはプラス端子及びマイナス端子のいずれも存在しないので、第２接点２８及び第４接点２９には何の端子も当接しない。
【００２４】
電池ケース２０の側壁には、第１室２１内のＣＲ−Ｖ３の有無を検出する第１検出スイッチ３１、及び第２室２２内のＣＲ−Ｖ３の有無を検出する第２検出スイッチ３２が固定されている。第１検出スイッチ３１は、電池ケース２０の側壁に形成された貫通孔２０ｄを通って第１室２１内へ突出する可動スイッチ片３１ａを有している。第１検出スイッチ３１は、第１室２１内にＣＲ−Ｖ３が収納されていないとき即ち可動スイッチ片３１ａが第１室２１内へ突出しているときはオフ状態にあり、第１室２１内にＣＲ−Ｖ３が装填されると該ＣＲ−Ｖ３の側面（平坦部１０１と溝部１０２が形成されていない側の側面）が可動スイッチ片３１ａを第１室２１外側に向かって押し込みオンとなる。
【００２５】
同様に、第２検出スイッチ３２は、電池ケース２０の側壁に形成された貫通孔２０ｅを通って第２室２２内へ突出する可動スイッチ片３２ａを有している。第２検出スイッチ３２は、第２室２２内にＣＲ−Ｖ３が収納されていないとき即ち可動スイッチ片３２ａが第２室２２内へ突出しているときはオフ状態にあり、第２室２２内にＣＲ−Ｖ３が装填されると該ＣＲ−Ｖ３の側面（平坦部１０１と溝部１０２が形成されていない側の側面）が可動スイッチ片３２ａを第２室２２外側に向かって押し込みオンとなる。第１室２１内に単３形電池２本が装填されても第１検出スイッチ３１はオンにならず、同様に第２室２２内に単３形電池２本が装填されても第２検出スイッチ３２はオンにならない。
【００２６】
図９に示すように、カメラボディ１０は、ピント板５１、ペンタプリズム５２及び接眼レンズ５３を含むファインダ光学系を有しており、撮影者が接眼レンズ５３を通して被写体を観察する非撮影時には、カメラボディ１０に装着された撮影レンズ４０を通って該カメラボディ１０内に入射した被写体光束は、カメラボディ１０内に設けられた第１ミラー（クイックリターンミラー）４２によって上方に反射されてピント板５１上に結像する。続いて、この結像した被写体像は、ペンタプリズム５２により左右上下が反転され、接眼レンズ５３を通して正立像として観察される。ペンタプリズム５２と接眼レンズ５３の間には、ペンタプリズム５２の出射面から出射した光束の一部を受ける測光素子５４が設けられている。第１ミラー４２の後方には、フォーカルプレーンシャッター４５、光学ローパスフィルター４７及びＣＣＤ（撮像素子）４８が設けられている。第１ミラー４２及びフォーカルプレーンシャッター４５は、公知のミラー／シャッタ駆動機構６０により駆動される。
【００２７】
さらに、撮影者が接眼レンズ５３を通して被写体を観察する非撮影時には、撮影レンズ４０を通って該カメラボディ１０内に入射した被写体光束の一部が第１ミラー４２略中央部のハーフミラー部を透過し、第１ミラー４２の裏面に設けられたサブミラー（第２ミラー）４３に入射する。サブミラー（第２ミラー）４３に入射した光束は、ＡＦセンサーユニット（例えば位相差検出方式のＡＦセンサーユニット）４４に入射する。このＡＦセンサーユニット４４から出力された信号は、カメラボディ１０の動作全般を司るＣＰＵ（制御手段、判断手段）４６に入力される。ＣＰＵ４６には、撮影レンズ４０内のＡＦレンズ群（図示せず）を駆動するＡＦ駆動機構１４７、撮影レンズ４０内の絞り機構４１を駆動する絞り駆動機構１４８、測光素子５４が接続された露出制御回路４９がそれぞれ接続されている。
【００２８】
さらにＣＰＵ４６には、グリップ部１３上面前部に設けられたレリーズ釦（図示せず）によって操作される測光／レリーズスイッチ６１、各種情報を表示する外部表示器（例えばＬＣＤ表示装置）６２がそれぞれ接続されている。
【００２９】
レリーズ釦（図示せず）を半押しすると測光／レリーズスイッチ６１を介して公知の測光／測距動作が開始され、全押しすると公知のレリーズ動作が開始される。
【００３０】
ＣＣＤ４８は、ＣＣＤドライバ６３及びクロックジェネレータ６４を介してＣＰＵ４６に接続されている。またＣＣＤ４８から出力された画像データは、増幅器６５、Ａ／Ｄ変換器６６、信号処理回路６７、データ圧縮／非圧縮回路６８を介して画像メモリー（例えばフラッシュメモリ等のリムーバブルメモリ）６９に記録される。
【００３１】
図９に示すように、電池室ＢＣ内に収納される電池（単３形電池４本またはＣＲ−Ｖ３二個）はＤＣ／ＤＣコンバータ７１を介してＣＰＵ４６に接続され、上述した第１検出スイッチ３１及び第２検出スイッチ３２はＣＰＵ４６に接続されている
【００３２】
カメラボディ１０には、電池室ＢＣ内に収納される電池とは別にバックアップ電池７２（図９参照）が設けられている。バックアップ電池７２は、ＤＣ／ＤＣコンバータ７１を介してＣＰＵ４６に接続されている。バックアップ電池７２としては、例えばボタン形リチウム電池を用いることができるが、これに限定されず他種の電池を用いることが可能である。
【００３３】
電池ケース２０及び電池蓋１５に設けられた第１接点乃至第５接点（２４乃至２９）は各々、端子間電圧情報を得るためにＣＰＵ４６に接続されている。
【００３４】
図１０は、電池室ＢＣ内に電池（単３形電池またはＣＲ−Ｖ３）がフルに収納されていることを条件としたうえで、電池室ＢＣ内に収納された電池が適切な電池か否かを判断し、不適と判断した場合には所定の警告表示を外部表示器６２に表示させると共に、カメラボディ１０上に設けられたメインスイッチ（図示せず）のオンを不可能な状態にする（即ち電池室ＢＣ内の電池を電源として使用不可の状態にする）電池チェック処理のフローチャートである。この処理はバックアップ電池７２を電源としてＣＰＵ４６によって実行される。以下、この電池チェック処理について説明する。
【００３５】
電池室ＢＣ内に電池が装填されると（Ｓ１１）、先ず第１検出スイッチ３１がオンであるかをチェックし（Ｓ１３）、オンならＳ１５に進み（Ｓ１３；ＹＥＳ）、オフならＳ２５に進む（Ｓ１３；ＮＯ）。Ｓ１５では第２検出スイッチ３２がオンであるかをチェックし、オンならＳ１７に進み（Ｓ１５；ＹＥＳ）、オフならＳ２１に進む（Ｓ１５；ＮＯ）。即ち第１検出スイッチ３１及び第２検出スイッチ３２が共にオンなら（即ち電池室ＢＣの第１室２１と第２室２２のそれぞれにＣＲ−Ｖ３が挿入されていれば）Ｓ１７に進む。
【００３６】
Ｓ１７では、第１接点２４と第３接点２５の間の電圧と、第３接点２６と第５接点２７の間の電圧が略同一であるかをチェックする。もし略同一であれば（Ｓ１７；ＹＥＳ）、電池室ＢＣの第１室２１と第２室２２のそれぞれに使用可能なＣＲ−Ｖ３が正しい方向で挿入されていると判断してカメラボディ１０上のメインスイッチのオンを可能な状態にし（Ｓ１９）、その後電池チェック処理を終了する。もし略同一でなければＳ２３に進む（Ｓ１７；ＮＯ）。
【００３７】
Ｓ１７において第１接点２４と第３接点２５の間の電圧と、第３接点２６と第５接点２７の間の電圧が略同一でなければ（Ｓ１７；ＮＯ）、所定の警告表示（第１の警告表示）を外部表示器６２に表示させ（Ｓ２３）、続いてカメラボディ１０上に設けられたメインスイッチのオンを不可能な状態にし（Ｓ３９）、その後電池チェック処理を終了する。
【００３８】
Ｓ２３では、例えば『新旧電池または破損電池が混在している可能性があるので新しい電池に交換してください』という文字表示を外部表示器６２に表示させる。この文字表示に代えて、この文字表示の内容を意味するマーク等を外部表示器６２に表示させてもよい。
【００３９】
Ｓ１５において第２検出スイッチ３２がオンでなければ（Ｓ１５；ＮＯ）、Ｓ２３での警告表示とは異なる所定の警告表示（第２の警告表示）を外部表示器６２に表示させ（Ｓ２１）、続いてカメラボディ１０上に設けられたメインスイッチのオンを不可能な状態にし（Ｓ３９）、その後電池チェック処理を終了する。
【００４０】
Ｓ２１では、例えば『異なる種類の電池が混在している可能性があるので同じ種類の電池に交換してください』という文字表示を外部表示器６２に表示させる。この文字表示に代えて、この文字表示の内容を意味するマーク等を外部表示器６２に表示させてもよい。
【００４１】
Ｓ１３において第１検出スイッチ３１がオンでなければ（Ｓ１３；ＮＯ）、第１接点２４と第２接点２８の間の電圧が０Ｖを超えているかをチェックする（Ｓ２５）。このとき０Ｖであれば（Ｓ２５；ＮＯ）、Ｓ２１及びＳ２３での警告表示とは異なる所定の警告表示（第３の警告表示）を外部表示器６２に表示させ（Ｓ４１）、続いてカメラボディ１０上に設けられたメインスイッチのオンを不可能な状態にし（Ｓ３９）、その後電池チェック処理を終了する。
【００４２】
Ｓ４１では、例えば『電池の容量が残っていないか、もしくは電池の挿入方向が逆である可能性があるので挿入方向が正しいかお確かめください』という文字表示を外部表示器６２に表示させる。この文字表示に代えて、この文字表示の内容を意味するマーク等を外部表示器６２に表示させてもよい。
【００４３】
Ｓ２５において０Ｖを超えていれば（Ｓ２５；ＹＥＳ）、第２接点２８と第３接点２５の間の電圧が０Ｖを超えているかをチェックする（Ｓ２７）。このとき０Ｖであれば（Ｓ２７；ＮＯ）、Ｓ４１に進んで上記第３の警告表示を外部表示器６２に表示させ（Ｓ４１）、続いてカメラボディ１０上に設けられたメインスイッチのオンを不可能な状態にし（Ｓ３９）、その後電池チェック処理を終了する。
【００４４】
Ｓ２７において０Ｖを超えていれば（Ｓ２７；ＹＥＳ）、第２検出スイッチ３２がオンであるかをチェックし（Ｓ２９）、オンならＳ２１に進んで上記第２の警告表示）を外部表示器６２に表示させ、続いてカメラボディ１０上に設けられたメインスイッチのオンを不可能な状態にし（Ｓ３９）、その後電池チェック処理を終了し（Ｓ２９；ＹＥＳ）、オフならＳ３１に進む（Ｓ２９；ＮＯ）。
【００４５】
Ｓ３１では第３接点２６と第４接点２９の間の電圧が０Ｖを超えているかをチェックする。このとき０Ｖであれば（Ｓ３１；ＮＯ）、Ｓ４１に進んで上記第３の警告表示を外部表示器６２に表示させ（Ｓ４１）、続いてカメラボディ１０上に設けられたメインスイッチのオンを不可能な状態にし（Ｓ３９）、その後電池チェック処理を終了する。
【００４６】
Ｓ３１において０Ｖを超えていれば（Ｓ３１；ＹＥＳ）、第４接点２９と第５接点２７の間の電圧が０Ｖを超えているかをチェックする（Ｓ３３）。このとき０Ｖであれば（Ｓ３３；ＮＯ）、Ｓ４１に進んで上記第３の警告表示を外部表示器６２に表示させ（Ｓ４１）、続いてカメラボディ１０上に設けられたメインスイッチのオンを不可能な状態にし（Ｓ３９）、その後電池チェック処理を終了する。
【００４７】
Ｓ３３において０Ｖを超えていれば（Ｓ３３；ＹＥＳ）、第１接点２４と第２接点２８の間の電圧、第２接点２８と第３接点２５の間の電圧、第３接点２６と第４接点２９の間の電圧、及び第４接点２９と第５接点２７の間の電圧の各電圧が略同一であるかをチェックする（Ｓ３５）。同一であれば（Ｓ３５；ＹＥＳ）、電池室ＢＣの第１室２１と第２室２２のそれぞれに使用可能な同次の単３形電池が正しい方向で挿入されていると判断してカメラボディ１０上のメインスイッチのオンを可能な状態にし（Ｓ１９）、その後電池チェック処理を終了する。もし略同一でなければ（Ｓ３５；ＮＯ）、所定の警告（第４の警告表示）を外部表示器６２に表示させ（Ｓ３７）、続いてカメラボディ１０上に設けられたメインスイッチのオンを不可能な状態にし（Ｓ３９）、その後電池チェック処理を終了する。
【００４８】
Ｓ３７では、例えば『新旧電池、破損電池、または異なる次の電池（一次電池と二次電池）が混在している可能性があるので適切な電池に交換してください』という文字表示を外部表示器６２に表示させる。この文字表示に代えて、この文字表示の内容を意味するマーク等を外部表示器６２に表示させてもよい。
【００４９】
以上では、本発明をデジタルカメラに適用した実施形態に関して説明したが、本発明はこれに限定されない。即ち、銀塩フィルムを用いるカメラに本発明を適用してもよく、またカメラに限らず、ＣＲ−Ｖ３二個以上または単３形電池４本以上の偶数個を電源として使用する各種電子機器に適用してもよい。
【００５０】
また本発明は、ＣＲ−Ｖ３二個以上または単３形電池４本以上の偶数個を電源として使用する場合にのみ限定されるものではない。即ち、プラス端子とマイナス端子をそれぞれ一端と他端に有する同種の円筒状電池２本と互換形状を有し且つプラス端子とマイナス端子を一端にのみ有する電池パック複数個と、上記円筒電池複数本とを選択的に収納可能な電池室を有する如何なる電子機器に対して本発明を適用可能である。
【図面の簡単な説明】
【００５１】
【図１】本発明を適用したカメラの電池室を構成する電池ケース及び電池蓋の分解斜視図である。
【図２】図１に示す電池ケース及び電池蓋を有するカメラの外観を示す斜視図である。
【図３】同電池ケース及び電池蓋を示す分解斜視図である。
【図４】同電池ケース及び電池蓋を異なる角度から視た分解斜視図である。
【図５】同電池ケース及び電池蓋を異なる角度から視た分解斜視図である。
【図６】電池室内にＣＲ−Ｖ３を二個収納した状態で電池ケースを上方から視た断面図である。
【図７】同電池室内に単３形電池を４本収納した状態で同電池ケースを上方から視た断面図である。
【図８】同電池室内にＣＲ−Ｖ３を二個収納した状態で同電池ケースを左方から視た断面図である。
【図９】図２に示すカメラの主要構成要素を示すブロック図である。
【図１０】同カメラの制御手段により実行される電池チェック処理を示すフローチャートである。
【図１１】ＣＲ−Ｖ３の外観を示す斜視図である。
【図１２】同ＣＲ−Ｖ３を異なる角度から視た斜視図である。
【図１３】電池ケースの上壁に配設された第１接点、第３接点及び第５接点の配置を示す、電池ケース上方から視た模式図である。
【図１４】電池蓋の内面に配設された第２接点及び第４接点の配置を示す、電池室側から視た模式図である。
【符号の説明】
【００５２】
１０  カメラボディ
１３  グリップ部
１５  電池蓋
２０  電池ケース
２１  第１室
２２  第２室
２４  第１接点
２５  第３接点
２６  第３接点
２７  第５接点
２８  第２接点
２９  第４接点
３１  第１検出スイッチ
３１ａ  スイッチ片
３２  第２検出スイッチ
３２ａ  スイッチ片
４６  ＣＰＵ（制御手段、判断手段）
６２  外部表示器
７２  バックアップ電池
【図１】
2004288626.tif 000003
【図２】
2004288626.tif 000004
【図３】
2004288626.tif 000005
【図４】
2004288626.tif 000006
【図５】
2004288626.tif 000007
【図６】
2004288626.tif 000008
【図７】
2004288626.tif 000009
【図８】
2004288626.tif 000010
【図９】
2004288626.tif 000011
【図１０】
2004288626.tif 000012
【図１１】
2004288626.tif 000013
【図１２】
2004288626.tif 000014
【図１３】
2004288626.tif 000015
【図１４】
2004288626.tif 000016